(57)【特許請求の範囲】
【請求項１】
キノコの廃菌床と有機質資材であるバーク堆肥，コンポスト堆肥，ピートモス，ココピート，泥炭，草炭，炭，人工腐植質物を選択的に混合して成る植生基材を，麻，わら，又は生分解性の不織布で覆うことで袋状またはマット状の包装体とし,当該包装体を保全対象となる海岸の砂浜に埋設することで，包装体に収容した植生基材が自然分解する期間である３〜５年間程は，植物に水分と栄養分を供給することで砂浜での緑化を可能としたことを特徴とするキノコの廃菌床と有機質資材を用いた海岸植生復元方法。
【請求項２】
植生基材を麻，わら，又は生分解性の不織布で覆うことで厚みが５ｃｍ〜５０ｃｍとなる袋状またはマット状の包装体とした請求項１記載のキノコの廃菌床と有機質資材を用いた海岸植生復元方法。
【請求項３】
植生基材を麻，わら，又は生分解性の不織布で覆うことで袋状またはマット状の包装体とし，当該包装体に収容した植生基材を，保全対象となる海岸の砂浜に深さ１０ｃｍ〜５０ｃｍで埋設することで，植物の生育に必要な水分と栄養分を効率的に供給できることを可能とした請求項１記載のキノコの廃菌床と有機質資材を用いた海岸植生復元方法。
【請求項４】
容量換算で，キノコの廃菌床９０％〜１０％に対して有機質資材を１０％〜９０％とすることで，キノコの廃菌床の臭いを消臭でき，また，加えてキノコの廃菌床の分解スピードを抑制することを可能とした請求項１記載のキノコの廃菌床と有機質資材を用いた海岸植生復元方法。
【請求項５】
植生基材を麻，わら，又は生分解性の不織布で覆うことで袋状またはマット状の包装体とすることで，キノコの廃菌床とバーク堆肥の有機質を混合した植生基材の分解スピードを抑制することを可能とした請求項１記載のキノコの廃菌床と有機質資材を用いた海岸植生復元方法。
【請求項６】
麻，わら，又は生分解性の不織布で覆うことで袋状またはマット状の包装体に収容した植生基材を埋設する砂浜の深さを変えることによって，毛管現象によって養分が地上部へ溶出する量を変えることを可能とした請求項１記載のキノコの廃菌床と有機質資材を用いた海岸植生復元方法。
【請求項７】
麻，わら，又は生分解性の不織布で覆うことで袋状またはマット状の包装体に収容した植生基材を埋設する砂浜の深さを変えることによって，毛管現象によって養分が地上部へ溶出する量を変えることで，植物の生育するスピードを調整することを可能にした請求項１記載のキノコの廃菌床と有機質資材を用いた海岸植生復元方法。
【請求項８】
麻，わら，又は生分解性の不織布で覆うことで袋状またはマット状の包装体に収容した植生基材を埋設する砂浜の深さを変えることによって，毛管現象によって養分が地上部へ溶出する量を変えることで，生育する植物種を選択できることを可能にした請求項１記載のキノコの廃菌床と有機質資材を用いた海岸植生復元方法。
【請求項９】
植生基材には，養分要求量の違う植物種を選択的に生育させる為に鶏糞，牛糞を選択的に用いる動物系土壌改良材と有効微生物群，炭類を選択的に混合することを可能にした請求項１記載のキノコの廃菌床と有機質資材を用いた海岸植生復元方法。
【発明の詳細な説明】
【技術分野】
【０００１】
本発明は，キノコの廃菌床とバーク堆肥，コンポスト堆肥，ピートモス，ココピート，泥炭，草炭，炭，人工腐植等の有機質部材または有機質物質を混合した資材を混合した資材を麻，わら，生分解性の不織布で覆うことで袋状やマット状にし，植生基材を保全対象となる海岸に埋設することで，急速に海岸の自然植生の復元を可能としたものである。植生基材に使用する有機質資材については，バーク堆肥，コンポスト堆肥，ピートモス，ココピート，泥炭，草炭，炭，人工腐植がある。
【背景技術】
【０００２】
一般的に海岸に堆積している砂は，その土壌特性として植物の生育に対して水分を保持する機能が低いのに加えて，植物の養分環境においても非常に過酷な条件となっている。このような環境であることから，飛砂の激しい海岸の汀線側（海側）では，静砂垣を設置することにより，飛砂の移動を緩和して植物の侵入を期待する手法が一般的に行われていた。しかし，これらの静砂垣は，飛砂の堆積に伴って埋没してしまいやすく，長期的に静砂する機能を維持することが困難となる。また，静砂垣にたまった砂には，水分と養分を持つ機能が無いことから海岸に堆積している砂に植生基盤としての機能を付与する手法が求められていた経緯がある。
【先行技術文献】
【特許文献】
【０００３】
【特許文献１】特開２００３−１５８９１７公報
【特許文献２】特開平１１−０３２５６８公報
【特許文献３】特開平１１−３１５５３１公報
【発明の概要】
【発明が解決しようとする課題】
【０００４】
上記の特許文献１の発明は，飛砂により植生の難しかった砂地において植生を可能とし，当該植生により飛砂を防止することによって，土壌を改良して緑化工法を提供する発明である。
【０００５】
また、特許文献２の発明は、従来行っていた飛砂等の元位置への戻し作業に少し手を加えることによって，植えることによって，砂または土壌の散乱を防止し，植物の生育を促進することができる緑化方法を提供する発明である。
【０００６】
さらに、特許文献３の発明は，砂地表面に土塊ないし粒状の土壌改良剤或いは骨材を一様に散布するという作業で，人力による敷きならし補修が不要で、機械施工により、一定の厚みにしかも一定の幅に散布して，飛砂防止及び土壌改良を能率的に行う工法を提供する発明である。
【０００７】
上記特許文献１−３は，いずれも海岸地帯や海浜地区における砂地の飛散を防止すると共に砂地に自生する植物や植栽した植物の生育を促進して緑化を図る発明である。そして，これらの緑化工法によって，砂地の飛砂を防止し、海岸地帯や海浜地区の緑化が図れる効果が得られるとされている。
【０００８】
ところで，上記の特許文献１−３における発明にあっては，砂地に蒔く材料として動物質系やマルチング材または土塊ないし粒状の土壌改良材，有効微生物ないしは骨材が用いられる。しかしながら，キノコの廃菌床とバーク堆肥等の有機質資材を混合した植生基材を用いるようなものは存在しない。
【課題を解決するための手段】
【０００９】
そこで，本発明は，上記従来の課題を解決し、発明の目的を達成するために，提供するものである。
【００１０】
本発明の第１は、キノコの廃菌床と有機質資材を用いた海岸植生復元方法において，キノコの廃菌床と有機質資材であるバーク堆肥，コンポスト堆肥，ピートモス，ココピート，泥炭，草炭，炭，人工腐植質物を混合して成る植生基材を，麻，わら，生分解性の不織布で覆うことで袋状またはマット状の包装体とし,当該包装体を保全対象となる海岸の砂浜に埋設することで，包装体に収容した植生基材が自然分解する期間である３〜５年間程は，植物に水分と栄養分を供給することで砂浜での緑化を可能としたものである。
【００１１】
本発明の第２は，第１の発明に係るキノコの廃菌床と有機質資材を用いた海岸植生復元方法において，キノコの廃菌床とバーク堆肥，コンポスト堆肥，ピートモス，ココピート，泥炭，草炭，炭，人工腐植等の有機質資材を混合した植生基材を，麻，わら，生分解性の不織布で覆うことで厚みが５ｃｍ〜５０ｃｍとなる袋状またはマット状の包装体とし，当該包装体に収容した植生基材を保全対象となる海岸に埋設することを可能としたことにある。
【００１２】
本発明の第３は，第１の発明に係るキノコの廃菌床と有機質資材を用いた海岸植生復元方法において，キノコの廃菌床とバーク堆肥，コンポスト堆肥，ピートモス，ココピート，泥炭，草炭，炭，人工腐植等の有機質資材を混合した植生基材を，麻，わら，生分解性の不織布で覆うことで袋状またはマット状の包装体とし，当該包装体に収容した植生基材を保全対象となる海岸の砂浜面に深さ１０ｃｍ〜５０ｃｍで埋設することで，植物の生育に必要な水分と栄養分を効率的に供給できることを可能としたことにある。
【００１３】
本発明の第４は，第１の発明に係るキノコの廃菌床と有機質資材を用いた海岸植生復元方法において，キノコの廃菌床とバーク堆肥，コンポスト堆肥，ピートモス，ココピート，泥炭，草炭，炭，人工腐植等の有機質資材を混合した植生基材を，容量換算で，キノコの廃菌床９０％〜１０％に対して有機質資材を１０％〜９０％とすることで，キノコの廃菌床の臭いを消臭でき，また，加えてキノコの廃菌床の分解スピードを抑制することを可能としたことにある。
最適配合には，容積換算でキノコの廃菌床２０％に対して有機質資材８０％がある。
【００１４】
本発明の第５は，第１の発明に係るキノコの廃菌床と有機質資材を用いた海岸植生復元方法において，キノコの廃菌床とバーク堆肥，コンポスト堆肥，ピートモス，ココピート，泥炭，草炭，炭，人工腐植等の有機質資材を混合した植生基材を，麻，わら，生分解性の不織布で覆い，袋状またはマット状の包装体とすることで，キノコの廃菌床とバーク堆肥等の有機質を混合した資材の分解スピードを抑制することを可能としたことにある。
【００１５】
本発明の第６は，第１の発明に係るキノコの廃菌床と有機質資材を用いた海岸植生復元方法において，キノコの廃菌床とバーク堆肥，コンポスト堆肥，ピートモス，ココピート，泥炭，草炭，炭，人工腐植等の有機質資材を混合した植生基材を，麻，わら，生分解性の不織布で覆うことで袋状またはマット状の包装体とし,当該包装体に収容した植生基材を埋設する砂浜面の深さを変えることによって，毛管現象によって養分が地上部へ溶出する量を変えることを可能としたことにある。
【００１６】
本発明の第７は，第１の発明に係るキノコの廃菌床と有機質資材を用いた海岸植生復元方法において，キノコの廃菌床とバーク堆肥，コンポスト堆肥，ピートモス，ココピート，泥炭，草炭，炭，人工腐植等の有機質資材を混合した植生基材を，麻，わら，生分解性の不織布で覆うことで袋状またはマット状の包装体とし，その包装体に収容した植生基材を埋設する砂浜面の深さを変えることによって，毛管現象によって養分が地上部へ溶出する量を変えることで，植物の生育するスピードを調整することを可能にしたことにある。
【００１７】
本発明の第８は，第１の発明に係るキノコの廃菌床と有機質資材を用いた海岸植生復元方法において，キノコの廃菌床とバーク堆肥，コンポスト堆肥，ピートモス，ココピート，泥炭，草炭，炭，人工腐植等の有機質資材を混合した植生基材を，麻，わら，生分解性の不織布で覆うことで袋状またはマット状の包装体とし，その包装体に収容した植生基材を埋設する砂浜面の深さを変えることによって，毛管現象によって養分が地上部へ溶出する量を変えることで，生育する植物種を選択できることを可能にしたことにある。
【００１８】
本発明の第９は，第１の発明に係るキノコの廃菌床と有機質資材を用いた海岸植生復元方法において，キノコの廃菌床とバーク堆肥，コンポスト堆肥，ピートモス，ココピート，泥炭，草炭，炭，人工腐植等の有機質資材を混合した植生基材には，養分要求量の違う植物種を選択的に生育させる為に動物系土壌改良材である鶏糞，牛糞，有効微生物群，炭類を混合することを可能にしたものである。
【発明の効果】
【００１９】
本発明は上記の構成であることから，次の効果がある。
第１に，キノコの廃菌床とバーク堆肥，コンポスト堆肥，ピートモス，ココピート，泥炭，草炭，炭，人工腐植等の有機質部材または有機質物質を混合した資材を混合した資材を麻，わら，生分解性の不織布で覆うことで袋状やマット状にし，植生基材を保全対象となる海岸に埋設することで，海岸の自然植生の復元を急速に進めることが可能であることから飛砂防止の効果がある。
【００２０】
砂浜に埋設する植生基材にキノコの廃菌床を混合することによって，混合する有機質部材または有機質物質の養分を保持する機能を高めることが可能となり，同様に水分についても菌床が保持することから砂からの蒸発散を抑制できる。
【００２１】
また，第２に，本発明にあっては，キノコの廃菌床とバーク堆肥，コンポスト堆肥，ピートモス，ココピート，泥炭，草炭，炭，人工腐植等の有機質部材または有機質物質を混合した資材に自然素材を用いていることから，埋設した砂の中で分解して自然に帰ることから海岸への環境負荷を与えない緑化が可能となった。
【図面の簡単な説明】
【００２２】
【図１】本発明の実施工程を示す概略説明図である。
【発明を実施するための形態】
【００２３】
本発明に係る植生基盤の利用形態は，次の２通りが考えられる。
すなわち，キノコの廃菌床とバーク堆肥，コンポスト堆肥，ピートモス，ココピート，泥炭，草炭，炭，人工腐植等の有機質資材を混合した植生基材を,麻，わら，生分解性の不織布で覆うことで袋状またはマット状の包装体に収容した植生基材を海岸の砂浜を掘削した面に敷設し，その敷設した上面に砂浜の掘削時に出た砂で埋める方法がある。
ここで，生分解性とは，一般に土中や水中の微生物が高分子化合物を分解して無機物にすることを意味する。
【００２４】
砂浜の凹部であれば，対象となる砂浜での掘削の必要がなく，凹部に袋状やマット状にした緑化資材を敷き並べ，その表面に覆砂することができる。当該覆砂は，当該凹部周辺の砂浜の砂を用いるものである。
【実施例１】
【００２５】
次に，本発明の実施例を説明する。図１において，１は掘削砂，２は覆砂,３は麻，わら，生分解性の不織布からなる袋状またはマット状の包装体,４はキノコの廃菌床とバーク堆肥，コンポスト堆肥，ピートモス，ココピート，泥炭，草炭，炭，人工腐植等の有機質資材を混合した植生基材である。上記の包装体３は，これに植生基材４を収容して掘削された砂浜面Ｇに敷き均すためのものである。また，植生基材の部材であるキノコの「菌床」とは，一般にオガクズなどの木質基材に米糠などの栄養源を混ぜた人工の培地をいい，「廃菌床」は、キノコ栽培の収穫が終わった後の菌床を意味する。
【００２６】
「具体的な施工例における施工順序」
（１）砂浜面Ｇをバックホー等の重機Ａを用いて掘削する。
（２）その掘削面にキノコの廃菌床と有機質資材を混合した植生基材４を麻，わら，生分解性の不織布からなる袋状またはマット状の包装体３に収容し，この包装体３を掘削面に敷設する。
（３）敷設された植生基材４の上面を覆砂２で被覆する。
キノコ菌床と有機資材を混合して袋状またはマット状にした包装体３に収容した植生基材４の埋設する深さを変えることで毛管現象によって，地表面に上がってくる養分の量を調節できる。この埋設深度調整によって，深く埋設した場合には貧栄養で生長するメヒシバ，ギョウギシバ，ハマニンニクが優先し，浅く埋設した場合には養分要求量の高いマツヨイグサ，ギシギシ，ヨモギが優先する。
【産業上の利用可能性】
【００２７】
本発明は，キノコの廃菌床とバーク堆肥等のバーク堆肥，コンポスト堆肥，ピートモス，ココピート，泥炭，草炭，炭，人工腐植等の有機質資材を麻，わら，生分解性の不織布で覆うことで袋状やマット状の包装体とし，植生基材を保全対象とな
る海岸に埋設することで,包装体に収容した植生基材が自然分解する期間である３〜５年程は，植物に水分と栄養分を供給することが可能となり，急速に海岸の自然植生の復元が可能となった。
【符号の説明】
【００２８】
１……掘削砂
２……覆砂
３……麻，わら，生分解性の不織布からなる袋状またはマット状の包装体
４……キノコの廃菌床とバーク堆肥，コンポスト堆肥，ピートモス，ココピート，泥炭，草炭，炭，人工腐植等の有機質資材を混合してなる植生基材
Ａ……掘削用の重機
Ｇ……砂浜面
【要約】      （修正有）【課題】海岸に堆積している砂は，その土壌特性として植物の生育に対して水分を保持する機能が低いのに加えて，植物の養分環境においても非常に過酷な条件となっている。砂には，水分と養分を持つ機能が無いため、海岸に堆積している砂に植生基盤としての機能を付与する手法を提供する。【解決手段】キノコの廃菌床とバーク堆肥，コンポスト堆肥，ピートモス，ココピート，泥炭，草炭，炭，人工腐植等の有機質部材または有機質物質を混合した資材を、麻，わら，生分解性の不織布の包装体３で覆うことで袋状やマット状にした植生基材４を保全対象となる海岸の砂浜面Ｇに埋設する。【選択図】図１【図１】
0005542232.tif 000002